(57)【特許請求の範囲】
【請求項１】
家具等における金属製の中空角型の支柱と横梁とを連結する装置であって、前記横梁の端部には、左右一対の下向きの係止爪を突設し、前記支柱の上端に穿設された左右一対の係止溝は、上方に開放されて前記各係止爪を下向きに落とし込む案内面と、落とし込み係止位置にて前記各係止爪の上端を上向きに移動不能とする突起部とを備える一方、
前記支柱の開放上端部を覆うキャップ体には、支柱の中空部内に嵌まる複数のガイド片を備え、その少なくとも一方のガイド片は、前記係止溝に落とし込み係止された係止爪を横移動不能にするように、その係止爪の側面と、前記支柱の中空部内における前記係止爪の側面と対峙する隅部とに当接する幅寸法Ｌ１を有するように形成したことを特徴とする支柱と横梁との連結装置。
【請求項２】
前記キャップ体における複数のガイド片のうち、前記支柱の角型の中空部の対角線位置にて嵌まる一対のガイド片の前記幅寸法Ｌ１を同じになるように形成したことを特徴とする請求項１に記載の支柱と横梁との連結装置。
【発明の詳細な説明】
【０００１】
【発明の属する技術分野】
本発明は、陳列什器等の家具における支柱と横梁との連結装置の構造に関するものである。
【０００２】
【従来の技術】
従来、例えば、実公昭５６−２６０８９号公報には、金属製の中空角型の支柱と横梁とを連結する装置であって、前記横梁の端部には、左右一対の下向きの係止爪を突設する一方、前記支柱の上端には、前記左右一対の係止爪が下向きに嵌まるようにした上向き開放の係止溝を穿設し、該各係止溝の下端部には、横向きに延びる係合溝部を形成する。他方、支柱の上端を覆うカバー体の両側縁部下面から脚片を垂下し、該脚片の下端には前記係合溝部に嵌合し得る係合部を備え、前記横梁の左右一対の係止爪を支柱における左右一対の係止溝に嵌め込んだ状態で、カバー体を支柱の上端に嵌めると、カバー体の脚片における係合部が支柱の内側から前記係合溝部に弾性的に嵌合することで、横梁に上向きの外力が作用しても、前記カバー体を介することにより簡単には抜け出さない構成を提案している。
【０００３】
【発明が解決しようとする課題】
しかしながら、前記カバー体の脚片における係合部が支柱の内側から係合溝部に嵌合しており、支柱の外側には横梁の端部が前記係合溝部に近接しているため、一旦嵌合した係合部を取り外すことが困難であったり、係合部が横梁より外側に位置するときには、外部から係合部とその係合溝部とが目立つという問題があった。
【０００４】
本発明は、外部から目立たず、且つ横梁が容易に取り外せないようにした支柱と横梁との連結装置を提供することを目的とするものである。
【０００５】
【課題を解決するための手段】
前記目的を達成するため、請求項１に記載の発明は、家具等における金属製の中空角型の支柱と横梁とを連結する装置であって、前記横梁の端部には、左右一対の下向きの係止爪を突設し、前記支柱の上端に穿設された左右一対の係止溝は、上方に開放されて前記各係止爪を下向きに落とし込む案内面と、落とし込み係止位置にて前記各係止爪の上端を上向きに移動不能とする突起部とを備える一方、前記支柱の開放上端部を覆うキャップ体には、支柱の中空部内に嵌まる複数のガイド片を備え、その少なくとも一方のガイド片は、前記係止溝に落とし込み係止された係止爪を横移動不能にするように、その係止爪の側面と、前記支柱の中空部内における前記係止爪の側面と対峙する隅部とに当接する幅寸法Ｌ１を有するように形成したものである。
【０００６】
また、請求項２に記載の発明は、請求項１に記載の支柱と横梁との連結装置において、前記キャップ体における複数のガイド片のうち、前記支柱の角型の中空部の対角線位置にて嵌まる一対のガイド片の前記幅寸法Ｌ１を同じになるように形成したものである。
【０００７】
【発明の実施の形態】
次に、本発明を具体化した最適な実施形態について説明する。図１は本発明を適用する陳列棚装置１の斜視図、図２は支柱２と上側の横梁３との連結装置の要部拡大側面図である。
【０００８】
陳列装置１は、左右一対の支柱２，２と両支柱２の上端間に連結する横梁３と、両支柱２の下部側を連結する下横桟４と、各支柱２の下部から前向きに突出した脚体５，５と、左右の脚体５，５の前側を連結する前面カバー板６と左右の脚体５，５にて支持されたベース板７とにより構成され、キャスタ８によりベース７の水平を保持するように高さ調節可能になっている。
【０００９】
各支柱２はアルミ製押出材もしくは薄い鋼板を折曲形成する等した中空の断面矩形状（角型）であり、前後面には上下（長手）方向に沿って一定間隔で従来から周知の縦長矩形状の取付け孔９が穿設されて図示しない棚板のためのブラケットの基部を装着できるように構成されている。
【００１０】
前記横梁３も、アルミ製押出材もしくは薄い鋼板を折曲形成する等した中空の断面矩形状であり、この横梁３の左右両端には、断面下向きコ字状の連結体１０がスポット溶接等にて固定されている。連結体１０の先端には、左右一対の下向きの係止爪１１，１１と、支柱２の表面に沿う案内部１２（図３で一方のみ示す）とが設けられている。
【００１１】
前記各支柱２の上端には、図２に示すように、上方に開放された左右一対の係止溝１３，１３が穿設形成されている。この係止溝１３は、前記各係止爪１１を下向きに落とし込む案内面１３ａと、落とし込み係止位置にて前記各係止爪１１の上端を上向きに移動不能とする突起部１４とが一体的に備えられている。
【００１２】
他方、前記各支柱２の開放上端部を覆うキャップ体１５は、合成樹脂等にて形成され、支柱２の上端面に当接する上板部１６と、該上板部１６から下向きに延びて、支柱２の中空部内に嵌まる複数（実施例では４枚）のガイド片１７ａ，１７ｂ，１７ｃ，１７ｄとを備える。
【００１３】
そして、前記複数のガイド片のうち、少なくとも一つのガイド片は、前記係止溝１３に落とし込み係止された係止爪１１を横移動不能にする規制部を備える。その１実施例は、図４及び図５に示すように、４枚のガイド片１７ａ，１７ｂ，１７ｃ，１７ｄの各一側縁が支柱２の四隅に当接するように配置されていると共に、１つのガイド片１７ａの幅寸法Ｌ１は、前記１つの係止爪１１が係止溝１３に嵌まり、突起部１４の下方に位置するように横移動させた状態で当該係止爪１１の側面に当接するものであり、これにより、キャップ体１５を嵌め入れると、係止爪１１が、突起部１４から外れないように規制することができるものである。実施例では、他方のガイド片１７ｄの幅寸法も前記ガイド片１７ａの幅寸法Ｌ１と同じに形成することにより、キャップ体１５を水平に１８０度反転させて支柱２の上端に嵌め込んだ場合に、ガイド片１７ｄにより、係止爪１１が係止溝１３から外れないようにしている。
【００１４】
なお、前記キャップ体１５における４枚のガイド片１７ａ，１７ｂ，１７ｃ，１７ｄの各外面に突出した係合突起（ダボ）１８を、支柱２の側面に穿設された孔１９に嵌め入れることにより、キャップ体１５が不用意に外れないようになっている（図２及び図４参照）。
【００１５】
以上の構成により、各支柱２の上端の一対の係止溝１３，１３の案内面１３ａ，１３ａ側に横梁３における係止爪１１，１１を落とし込み、その落とし込み係止位置にて横方向にずらせると、各係止爪１１の上端が突起部１４の下方に位置する。この状態でキャップ体１５を被せると、４枚のガイド片１７ａ，１７ｂ，１７ｃ，１７ｄが支柱２の内側面に嵌合し、支柱２の四隅に規制され横ずれしないし、係合突起１８が支柱の孔１９に嵌まって抜け出さない。そして、１つのガイド片１７ａの側縁が前記１つの係止爪１１の側面に当接して横移動を規制するから、この状態では、突起部１４のため係止爪１１が上方に抜け出せず、従って、横梁３を上向きに外すことができなくなるのである。
【００１６】
なお、図２に示すように、支柱２の側面に適宜間隔にて前記係止溝１３の形状な含む係止孔２０を予め穿設しておけば、二点鎖線２１の箇所で支柱２を切断すれば、突起部１４と案内面１３ａを有する係止溝１３を簡単に形成することができるのである。
【００１７】
【発明の効果】
以上に詳細に説明したように、  請求項１に記載の発明は、家具等における金属製の中空角型の支柱と横梁とを連結する装置であって、前記横梁の端部には、左右一対の下向きの係止爪を突設し、前記支柱の上端に穿設された左右一対の係止溝は、上方に開放されて前記各係止爪を下向きに落とし込む案内面と、落とし込み係止位置にて前記各係止爪の上端を上向きに移動不能とする突起部とを備える一方、前記支柱の開放上端部を覆うキャップ体には、支柱の中空部内に嵌まる複数のガイド片を備え、その少なくとも一方のガイド片は、前記係止溝に落とし込み係止された係止爪を横移動不能にするように、その係止爪の側面と、前記支柱の中空部内における前記係止爪の側面と対峙する隅部とに当接する幅寸法Ｌ１を有するように形成したものである。
【００１８】
これにより、各支柱の上端の一対の係止溝の案内面側に横梁における一対の係止爪を落とし込み、その落とし込み係止位置にて横方向にずらせると、各係止爪の上端が突起部の下方に位置する。この状態でキャップ体を被せると、キャップ体における１つのガイド片が、前記１つの係止爪の側面と支柱の中空部内における前記係止爪の側面と対峙する隅部とに当接して横移動を規制するから、この状態では、突起部のため係止爪が上方に抜け出せず、従って、横梁を上向きに外すことができない。そして、キャップ体におけるガイド片は単に支柱の内径部に嵌まっているだけであるから、横梁を外す場合には、キャップ体を先に外すだけの至極簡単な操作で済み、さらに、ガイド片は支柱の内径部にあって、外部から見えないから連結装置としての外観も優れているという効果を奏するのである。
【００１９】
また、請求項２に記載の発明は、請求項１に記載の支柱と横梁との連結装置において、前記キャップ体における複数のガイド片のうち、前記支柱の角型の中空部の対角線位置にて嵌まる一対のガイド片の前記幅寸法Ｌ１を同じになるように形成したものであるから、これにより、請求項１に記載の発明による効果に加えて、キャップ体を水平に１８０度反転させて支柱の上端に嵌め込んだ場合にも、対角線位置の他方のガイド片により、係止爪が係止溝から外れなくできて、キャップ体の取り付け作業が容易になるという効果を奏する。
【図面の簡単な説明】
【図１】  陳列装置の斜視図である。
【図２】  支柱と横梁とキャップ体の拡大側面図である。
【図３】  横梁の端部正面図である。
【図４】  支柱に横梁を連結した状態の側面図である。
【図５】  図４におけるＶ−Ｖ線矢視図である。
【符号の説明】
２        支柱
３        横梁
１１        係止爪
１３        係止溝
１３ａ        案内面
１４        突起部
１５        キャップ体
１６        上板部
１７ａ，１７ｂ，１７ｃ，１７ｄ      ガイド片
１８        係合突起
１９        孔
【図１】
0003706243.tif 000002
【図２】
0003706243.tif 000003
【図３】
0003706243.tif 000004
【図４】
0003706243.tif 000005
【図５】
0003706243.tif 000006